(57)【要約】      （修正有）【課題】環境負荷の少ない酸塩基指示薬を感湿検知剤として用い、退色を十分に遅らせ、シリカゲルの脱落や包装物への混入、接触を回避し、アルカリ性や酸性環鏡下での長期間の保存に耐えられる湿度検知カードを提供する。【解決手段】基材３の少なくとも表示面３ａ側にシリカゲルを担持したポリオレフィン不織布層３１を有し、ポリオレフィン不織布層３１に表示面３ａ側から酸塩基指示薬を含む酸性溶液が含浸して、所定の湿度を検知し、検知した湿度に対応した湿度表示色に変色するようにした感湿呈色域を表示面３ａに形成し、基材１の表示面３ａに、透明または半透明のプラスチックフイルムを感湿呈色域への通気状態を保って積層したことにより目的を達成する。【選択図】図２
0003147377.tif 000002
【実用新案登録請求の範囲】
【請求項１】
基材の少なくとも表示面側にシリカゲルを担持したポリオレフィン不織布層を有し、このポリオレフィン不織布層に表示面側から酸塩基指示薬を含む酸性溶液が含浸して、所定の湿度を検知し、検知した湿度に対応した湿度表示色に変色するようにした感湿呈色域を表示面に形成し、
基材の表示面に、透明または半透明のプラスチックフイルムを感湿呈色域への通気状態を保って積層した
ことを特徴とする湿度検知カード。
【請求項２】
積層するプラスチックフイルムは、穿孔が施され、またはおよび、基材への積層時に基材とプラスチックフィルムとが感湿呈色域への通気路を残して接着されていることを特徴とする請求項１に記載の湿度検知カード。
【請求項３】
基材は、表示面に感湿呈色域が形成さられたポリオレフィン不織布層と、このポリオレフィン不織布層の前記表示面とは反対の面に張り合せた張り合わせ材とからなることを特徴とする請求項１、２のいずれか１項に記載の湿度検知カード。
【請求項４】
基材は、そのポリオレフィン不織布層と張り合わせ材との間に接着層ないしは挟み込み層がなす不透湿層を有していることを特徴とする請求項３に記載の湿度検知カード。
【請求項５】
基材の表示面とは反対の面に不透湿層を有していることを特徴とする請求項１〜３のいずれか１項に記載の湿度検知カード。
【請求項６】
感湿呈色域は、基材のシリカゲルを混抄した不織布層に、酸塩基指示薬を含む酸性溶液を含浸させて、乾燥されたものであることを特徴とする請求項１〜５のいずれか１項に記載の湿度検知カード。
【請求項７】
プラスチックフィルムは、退色処理が施されたものであることを特徴とする請求項１〜６のいずれか１項に記載の湿度検知カード。
【考案の詳細な説明】
【技術分野】
【０００１】
本考案は、例えば、電子部品や機械などを保存する際に乾燥剤を使用する保存方法において、包装容器内など保存環境の湿度を表示する為に使用される湿度検知カードに関するものである。
【背景技術】
【０００２】
従来の包装容器内の湿度を表示する湿度指示材としては、塩化コバルトをシリカゲルや紙に含浸したものが使用されている（例えば、特許文献１参照。）。しかし、塩化コバルトは発癌性の可能性がある物質としてＩＡＲＣ  ２Ｂにリストされる物質であり、特に、食品や医薬、化粧料など生体に係る包装物への使用が懸念される。
【０００３】
一方、これに対応するのに、塩化コバルトに代えて、酸塩基指示薬などの有機系の湿度指示薬を用いることも知られている（例えば、特許文献２参照。）。
【特許文献１】特開 昭５２−１００３７９号公報
【特許文献２】特開２００２−３５０４１９号公報
【考案の開示】
【考案が解決しようとする課題】
【０００４】
しかし、有機系の湿度指示薬を用いると、退色しやすく湿度に対応した呈色性も低下する。また、シリカゲルは基材への抄き込み、塗布、印刷の別なく、外力を受けるなどして脱落することがあり、湿度検知性能低下の原因になる。また、シリカゲルは脱落の有無なく接触すると保存物などに悪影響を及ぼしかねない。一方、シリカゲルはアルカリ性や酸性環境下で効果を発揮するため、紙に含浸した場合は長期間の保存期間の間に劣化すると言う問題もある。
【０００５】
本考案の目的は、環境負荷の少ない酸塩基指示薬を感湿検知剤として用い、退色を十分に遅らせられて、しかも、シリカゲルの脱落や包装物への混入、接触を回避し、アルカリ性や酸性環鏡下での長期間の保存にも耐えられる湿度検知カードを提供することにある。
【課題を解決するための手段】
【０００６】
上記課題を達成するために、本考案の湿度検知シートは、基材の少なくとも表示面側にシリカゲルを担持したポリオレフィン不織布層を有し、このポリオレフィン不織布層に表示面側から酸塩基指示薬を含む酸性溶液が含浸して、所定の湿度を検知し、検知した湿度に対応した湿度表示色に変色するようにした感湿呈色域を表示面に形成し、基材の表示面に、透明または半透明のプラスチックフイルムを感湿呈色域への通気状態を保って積層したことを特徴としている。
【０００７】
このような構成では、シリカゲルを担持したポリオレフィン不織布層にそれがなす表示面側から発癌性のない酸塩基指示薬を含む酸性溶液を含浸させて感湿呈色域を形成したから、感湿呈色域は表示面が置かれる保存容器内などの検湿環境下で、雰囲気中の湿度に反応して所定の湿度を検知し、検知した湿度に対応した湿度表示色に変色する作用を営み、これが透明、半透明のプラスチックフィルムを透し視認される。特に、基材の表示面に透明または半透明のプラスチックフィルムを感湿呈色域への通気状態を保って積層しているので、感湿呈色域の検湿環境下での雰囲気中の湿気に対する反応を損なわずに、酸塩基試薬を含む酸性溶液が含浸しているシリカゲルの脱粒、包装物への混入、包装物との接触を回避し、また光の透過を制限する分感湿呈色域の退色を抑制することができる。また、酸塩基指示薬はアルカリ性や酸性環境下で湿度検知作用を発揮するが、ポリオレフィン不織布層に含浸していることによりそのような環境下でも含浸層が劣化しにくい。
【０００８】
上記において、さらに、積層するプラスチックフイルムは、穿孔が施され、またはおよび、基材への積層時に基材とプラスチックフィルムとが感湿呈色域への通気路を残して接着されていることを特徴とすることができる。
【０００９】
このような構成では、上記に加え、さらに、基材の表示面に積層されるプラスチックフイルムは、自身に施された穿孔、またはおよび、基材とプラスチックフィルムとの接着部に残された感湿呈色域への通気路による通気にて、感湿呈色域の保存環境の雰囲気中の湿気に対する反応を邪魔せずに、感湿呈色域を保護し、包装物と隔離することの影響なく湿度を検知する通気性が得られる。
【００１０】
上記において、さらに、基材は、表示面に感湿呈色域が設けられたポリオレフィン不織布層と、このポリオレフィン不織布層の表示面とは反対の面に張り合せた張り合わせ材とからなることを特徴とすることができる。
【００１１】
このような構成では、上記に加え、さらに、ポリオレフィン不織布層はその薄さで、シリカゲルや感湿呈色域の抄き込みや含浸、塗布の量を必要最小限に抑えながら、表示面とは反対の面に張り合わせた張り合せ材により、所望の厚みにカード化できるし、表示面とは反対の面の側でのシリカゲルの脱落や保存物などとの接触を防止し、併せて、雰囲気中の湿気の影響や退色を軽減できる。
【００１２】
この場合において、さらに、基材は、そのポリオレフィン不織布層と張り合わせ材との間に接着層ないしは挟み込み層がなす不透湿層を有していることを特徴とすることができる。
【００１３】
このような構成では、上記に加え、さらに、基材のポリオレフィン不織布層と張り合わせ材との間に設けた接着層ないしは挟み込み層がなす不透湿層によって、表示面とは反対の面の側から感湿呈色域に湿気が及ぶのを確実に防止できるし、透視性は不要で遮光も確実に図れる。
【００１４】
上記において、さらに、基材の表示面とは反対の面に不透湿層を有していることを特徴とすることができる。
【００１５】
このような構成では、上記に加え、さらに、基材の表示面とは反対の面に有した不透湿層によって、表示面とは反対の面の側でのシリカゲルの脱落や保存物などとの接触を防止し、併せて、表示面とは反対の面の側から感湿呈色域に湿気が及ぶのを確実に防止できるし、透視性が不要で遮光による退色防止も図れる。
【００１６】
上記において、さらに、感湿呈色域は、基材のシリカゲルを混抄したポリオレフィン不織布層に、酸塩基指示薬を含む酸性溶液を含浸させて、乾燥されたものであることを特徴とすることができる。
【００１７】
このような構成では、上記に加え、さらに、シリカゲルがポリオレフィン不織布層への混抄により基材に担持されて、その全域を表示面とし、酸塩基指示薬を含む酸性溶液を含浸させるだけで１か所以上の特定の箇所に感湿呈色域を設けることができ、しかも、酸性濃度の違いによって検知湿度と検知湿度に対応する湿度表示色を異ならせることができる。
【００１８】
上記において、さらに、プラスチックフィルムは、退色処理が施されたものであることを特徴とすることができる。
【００１９】
このような構成では、上記に加え、さらに、特別な退色処理を施していない透明性のプラスチックフィルムでも感湿呈色域の退色を軽減することができるが、赤外線、紫外線など保存環境に対応した特定の波長を遮光する退色処理を施したものであることにより、感湿呈色域の退色を保存環境に応じ抑制ないしは防止できる。
【考案の効果】
【００２０】
本考案の湿度検知シートによれば、検湿環境下で、雰囲気中の湿度に反応して所定の湿度を検知し、検知した湿度に対応した湿度表示色に変色する感湿呈色域が、シリカゲルを担持したポリオレフィン不織布層に発癌性のない酸塩基指示薬を含む酸性溶液を含浸させたもので、生体の健康に好適である上、感湿呈色域が露出する基材の表示面への通気状態を保って積層した透明または半透明のプラスチックフィルムにより、前記変色の視認による湿度変化の評価を可能にしながら、光の透過を制限する度合いに応じた感湿呈色域の退色を抑制する上、検湿環境下での雰囲気中の湿気に対する反応を損なわず、酸塩基試薬を含む酸性溶液が含浸しているシリカゲルの脱粒、包装物への混入、包装物との接触を回避し、感湿呈色域および包装物の双方を保護しまた、酸塩基指示薬はアルカリ性や酸性環境下で湿度検知作用を発揮するが、ポリオレフィン不織布層に含浸していることによりそのような環境下でも含浸層が劣化しにくいので、耐久性が高まる。
【００２１】
上記に加え、さらに、プラスチックフイルムは、自身に施された穿孔、またはおよび、基材とプラスチックフィルムとの接着部に残された感湿呈色域への通気路での簡単な通気構造にて、感湿呈色域の保存環境の雰囲気中の湿気に対する反応を確保して、感湿呈色域を保護し、保護物と隔離することの影響なく湿度を検知できる。
【００２２】
上記に加え、さらに、ポリオレフィン不織布層の薄さで、シリカゲルや感湿呈色域の抄き込みや含浸、塗布の量を必要最小限に抑えながら、表示面とは反対の面に張り合わせた張り合せ材により、所望の厚みにカード化して取り扱いやすくして、しかも、表示面とは反対の面の側でのシリカゲルの脱落や保存物などとの接触を防止するのに併せて、雰囲気中の湿気の影響を軽減でき、感湿呈色域の耐久性が高まる。
【００２３】
これに加え、さらに、基材の表示シートと張り合わせ材との間に設けた接着層ないしは挟み込み層がなす不透湿層によって、表示面とは反対の面の側から感湿呈色域に湿気が及ぶのを確実に防止できるし、透視性が不要で確実な遮光が図れるので、感湿呈色域の耐久性が高まる。
【００２４】
上記に加え、さらに、基材の表示面とは反対の面に有した不透湿層によって、表示面とは反対の面の側でのシリカゲルの脱落や保存物などとの接触を防止し、併せて、表示面とは反対の面の側から感湿呈色域に湿気が及び、また退色するのを確実に防止できる。
【００２５】
上記に加え、さらに、シリカゲルがポリオレフィン不織布層への混抄により基材に簡易に担持されて、その全域を安価に表示面とすることができ、酸塩基指示薬を含む酸性溶液を滴化、塗布、印刷するなどして含浸させるだけで１か所以上の特定の箇所に感湿呈色域を設けられ、異なった箇所での感湿呈色域それぞれの酸性濃度の違いにより検知湿度と検知湿度に対応する湿度表示色を異ならせて、検知する湿度とそれに対応する変色を経時的かつ段階的に表示し、経時的な湿度変化の評価に供するのに便利になる。
【００２６】
上記に加え、さらに、特別な退色処理を施していない透明性のプラスチックフィルムでも感湿呈色域の退色を軽減することができるが、赤外線、紫外線など保存環境に対応した特定の波長を遮光する退色処理を施したものであることにより、感湿呈色域の退色を効果的に、つまり必要最低限の遮光により透視性をできるだけ損なわないで抑制ないしは防止できる。
【００２７】
本考案のそれ以上の目的および特徴は、以下の具体的な説明および図面によって明らかになる。
【考案を実施するための最良の形態】
【００２８】
本考案の実施の形態に係る湿度検知カードにつき、図を参照しながら以下に説明し、本考案の理解に供する。しかし、以下の記載は本考案の具体例であって、実用新案登録請求の範囲の記載を限定するものではない。
【００２９】
図１〜図３に示す例、図４に示す例の湿度検知カード１は、基材３のシリカゲルを担持し少なくとも表示面３ａをなすポリオレフィン不織布層３１に、表示面３ａの側から酸塩基指示薬を含む酸性溶液を含浸させて、所定の湿度を検知し、検知した湿度に対応した湿度表示色に変色するようにした感湿呈色域２を表示面３ａに露出して形成してあり、この基材３の表示面３ａに、透明または半透明のプラスチックフイルム４を感湿呈色域２への通気状態を保って積層したものとしている。このように、シリカゲルを担持したポリオレフィン不織布層３１に発癌性のない酸塩基指示薬を含む酸性溶液を含浸させて感湿呈色域２とし、これを基材３の表示面３ａに露出して設けたことにより、感湿呈色域２は表示面３ａが置かれる保存容器内などの検湿環境下で、雰囲気中の湿度に反応して所定の湿度を検知し、検知した湿度に対応した湿度表示色に変色する作用を営み、これが透明または半透明のプラスチックフィルム４を透し視認される。特に、基材３の表示面３ａに透明または半透明のプラスチックフィルム４を感湿呈色域２への通気状態を保って積層しているので、感湿呈色域２の検湿環境下での雰囲気中の湿気に対する反応を前記通気性によって損わずに、シリカゲル、特に、酸塩基試薬を含む酸性溶液が含浸しているシリカゲルの脱粒、包装物への混入、包装物との接触を回避し、また光の透過を制限する分感湿呈色域２の退色を抑制することができる。また、酸塩基指示薬はアルカリ性や酸性環境下で湿度検知作用を発揮するが、ポリオレフィン不織布層３１に含浸していることによりそのような環境下でも含浸層が劣化しにくい。
【００３０】
この結果、検湿環境下で、雰囲気中の湿度に反応して所定の湿度を検知し、検知した湿度に対応した湿度表示色に変色する感湿呈色域２が、シリカゲルを担持したポリオレフィン不織布３１に発癌性のない酸塩基指示薬を含む酸性溶液を含浸させたもので、生体の健康に好適である上、感湿呈色域２が露出する基材３の表示面３ａへの通気状態を保って積層した透明または半透明のプラスチックフィルム４により、前記変色の視認による湿度変化の評価を可能にしながらも、光の透過を制限する度合いに応じた感湿呈色域２の退色を抑制する上、検湿環境下での雰囲気中の湿気に対する反応を損なわず、シリカゲル、特に酸塩基試薬を含む酸性溶液が含浸しているシリカゲルの脱粒、包装物への混入、包装物との接触を回避し、感湿呈色域２および包装物の双方を保護でき、かつ、酸塩基指示薬はアルカリ性や酸性環境下で湿度検知作用を発揮するが、ポリオレフィン不織布層３１に含浸していることによりそのような環境下でも含浸層が劣化しにくいので、耐久性が高まる。
【００３１】
ここで、基材３に積層するプラスチックフイルム４は、穿孔が施され、またはおよび、基材３への積層時に基材３とプラスチックフィルム４とが感湿呈色域２への図２、図３に示すような通気路５を残して接着されていることにより、感湿呈色域２への通気性が容易かつ安価に満足でき、プラスチックフイルム４は、自身に施された穿孔、またはおよび、基材３とプラスチックフィルムとの接着部に残された感湿呈色域への通気路５による通気にて、感湿呈色域の２保存環境の雰囲気中の湿気に対する反応を邪魔せずに、表示面全体、特に、感湿呈色域２を覆って保護し、包装物と隔離することの影響なく湿度を検知する通気性が得られる。
【００３２】
なお、穿孔や接着は、プラスチックフィルム４の連続した搬送過程で容易かつ迅速に実行することができるし、通気路５を残した接着は、図２、図３に示すように基材３の表示面３ａとプラスチックフィルム４との間に通気路５のスペースを確保できるスぺーサとなる接着剤６によるのが好適である。しかし、これに限られることはなく、溶着などによっても通気路５を未溶着による非密着部として形成することもできる。通気路５を残す接着態様は、図２、図３に示すようなドット状に散在した接着部、ライン状に散在した接着部、通気路５の連続性を阻害しないように各所で分断した格子状などの各種形態を適用できる。
【００３３】
また、基材３は、図３の例で示すように、表示面３ａに感湿呈色域２が設けられたシリカゲルを担持したポリオレフィン不織布層３１と、このポリオレフィン不織布層３１の表示面３ａとは反対の面３１ａに張り合せた張り合わせ材３２とからなるものとすることができる。これにより、表示シート３１はその薄さで、シリカゲルや感湿呈色域２の抄き込みや含浸、塗布の量を必要最小限に抑えながら、表示面３ａとは反対の面３１ａに張り合わせた張り合せ材３２により、所望の厚みにカード化できるし、表示面３ａとは反対の面３１ａの側でのシリカゲルの脱落や保存物などとの接触の防止、雰囲気中の湿気の影響や退色を軽減でき、感湿呈色域２の耐久性が高まる。
【００３４】
さらに、基材３は、図２に示すようにそのポリオレフィン不織布層３１と張り合わせ材３１との間に接着層ないしは挟み込み層がなす不透湿層３３を有したものとすることができる。これにより、基材３のポリオレフィン不織布層３１と張り合わせ材３２との間に設けた接着層ないしは挟み込み層がなす不透湿層３３によって、表示面３ａとは反対の面３ｂの側から感湿呈色域２に湿気が及ぶのを確実に防止できるし、透視性は不要で遮光による退色防止も確実に図れるので、感湿呈色域２の耐久性が高まる。
【００３５】
これに代えて、基材３の表示面３ａとは反対の面３ｂに図２に仮想線で示すように不透湿層３４を有したものとすることもできる。このように、基材３の表示面３ａとは反対の面３ｂに有した不透湿層３４によって、表示面３ａとは反対の面３ｂの側でのシリカゲルの脱落や保存物などとの接触を防止し、併せて、表示面３ａとは反対の面の側から感湿呈色域２に湿気が及ぶのを確実に防止できるし、透視性が不要で遮光による退色防止も図れるので、感湿呈色域２の耐久性が高まる。このような不透湿層３３、３４はプラスチック層でもよいがアルミニウム系などの金属箔とすることもできる。
【００３６】
また、感湿呈色域２は、基材３のシリカゲルを混抄したポリオレフィン不織布層３１に、酸塩基指示薬を含む酸性溶液を含浸させて、乾燥されたものとすることができる。これにより、シリカゲルが基材３のポリオレフィン不織布層３１への混抄にて基材３に担持されて、その全域を表示面３ａとし、酸塩基指示薬を含む酸性溶液を含浸させるだけで１か所以上の特定の箇所に感湿呈色域２を形成することができ、しかも、酸性濃度の違いによって検知湿度と検知湿度に対応する湿度表示色を異ならせることができる。従って、シリカゲルがポリオレフィン不織布層３１への混抄により基材３に簡易に担持されて、その全域を安価に表示面３ａとすることができ、酸塩基指示薬を含む酸性溶液を滴化、塗布、印刷するなどして含浸させるだけで１か所以上の特定の箇所に感湿呈色域２を設けられ、図１に示すように異なった箇所での感湿呈色域２それぞれの酸性濃度の違いにより検知湿度と検知湿度に対応する湿度表示色を異ならせて、検知する湿度とそれに対応する変色を経時的かつ段階的に色・湿度指標７と共に表示し、経時的な湿度変化の評価に供するのに便利になる。最も、図３に示すように１か所の感湿呈色域２であっても、吸湿度合に応じて順次異なった色に変色するのを対応する色で表示した色指標８を設けて湿度変化の評価に供することもできる。
【００３７】
ここに、湿度検知カード１は、図１に示されるように、シリカゲル混抄ポリオレフィン不織布３１に印刷がなされ、感湿呈色対象域に酸塩基指示薬溶液を滴下することで感湿呈色域２が所定の形状および大きさに形成できる。シリカゲルは相対湿度が上昇すれば水蒸気を吸着し、含水率が高くなる。従って、酸性溶液中に酸塩基指示薬としてニュートラルレッドを使用した場合、湿度の低い状態では酸性度が高く、相対湿度の上昇とともに酸性度が低くなるため、青色から赤色に変化する。酸性溶液の濃度を制御することにより、５から６０％ＲＨの湿度で赤色に変色する湿度検知カード１を得ることができる。酸塩基指示薬はアルカリ性や酸性環境下で湿度検知作用を発揮するが、不織布がポリオレフィン不織布であることによりそのような環境下でも劣化しにくく、耐久性が向上する。
【００３８】
また、プラスチックフィルム４は、退色処理が施されたものとすることができ、特別な退色処理を施していない透明性のプラスチックフィルム４でも感湿呈色域の退色を軽減することができるが、赤外線、紫外線など保存環境に対応した特定の波長を遮光する退色処理を施したものであることにより、感湿呈色域の退色を感湿呈色域の退色を効果的に、つまり必要最低限の遮光により透視性をできるだけ損なわないで抑制ないしは防止できる。それには、プラスチックフィルム４は、赤外線、紫外線など保存環境下で想定される特定波長による退色に応じた対策を講じる遮光性のコート剤で被覆したもの、あるいは遮光材を含有したものなどとすることができる。透明もしくは半透明のプラスチックフイルム４が積層されていない場合は、２４時間以内に退色する酸塩基指示薬もあるので、以上のような退色対策は重要である。
【００３９】
また、ポリオレフィン不織布へのシリカゲル粉末の担持は、紙の製造と同様に湿式法で得ることがもっとも効率的な方法である。しかし、シリカゲル粉末は、ポリオレフィン繊維の間隙に担持されるため、接着剤で付着させても脱落する可能性が高いので、シリカゲルの脱落は保存物に対して悪影響を及ぼすので、既述のように表示面３ａおよびその反対の面３ｂ側の両方に脱落防止層を設けるのが好適である。
【００４０】
さらに詳述すると、シリカゲル混抄のポリオレフィン不織布３１は、経済性を考慮に入れ坪量３０ｇ〜１５０ｇ/ｍ２を使用する場合、硬さが不足しカード状にならない為、既述の張り合わせ材３２として合成紙「ユポ」（ユポ・コーポレーション製）あるいは、合成紙「ピーチコート」（日清紡績（株）製）などのプラスチック合成紙を積層するのが好適である。パルプ厚紙も適用は可能であるが、パルプ厚紙とシリカゲル混抄ポリオレフィン不織布の間にポリエチレン２０〜８０μなどのポリオレフィンフイルムを接着層として使用する方が、光に対する劣化防止には有効である。また、当然ながら光遮断性を有するアルミ箔やこれを含む複合フイルムをホットメルト樹脂や種々の接着剤でシリカゲル混抄ポリオレフィン不織布に接着し積層することも有効である。ポリオレフィン不織布に混抄するシリカゲルは、ＪＩＳ  Ｚ−０７０１に規定されるＡ形、Ｂ形、あるいは、これより細孔径、細孔容積の大きなＣ形など、種々のシリカゲルが使用でき、これらのシリカゲルの吸湿特性を基に、相対湿度５％から９０％までの湿度検知カードを作成することが可能である。ポリオレフィン不織布として使用される繊維は、ポリエチレン、エチレン酢酸ビニル共重合樹脂、ポリプロピレンが主であり、製造助剤的に、ポリエステル繊維やナイロン繊維などを少量添加する。耐酸性や耐塩基のある不織布にシリカゲルを混抄することが重要である。
【００４１】
また、酸塩基指示薬として、食用青色１号（ブリリアントブルーＦＣＦ及びそのアルミニウムレーキ）または食用緑色３号（ファストグリーンＦＣＦ及びそのアルミニウムレーキ）を用いれば、食品添加物として認められた呈色成分であるので安全で環境の負荷の少ないものである上、１つの指示薬でｐｈの変化により、例えば緑色３号であれば橙色から黄、緑、青緑と段階的に呈色変化するので、その変更色が明瞭であり判別が容易かつ正確となる。
【００４２】
また、多孔質材であり一定の吸湿性能を有するシリカゲルにおいては、その孔への酸性物質の含浸量によってｐＨは決定されるので、酸性物質の含浸濃度を変化させることによって、所定の湿度に対応した前記酸塩基指示薬の呈色変化を変位させ、湿度検知材における湿度表示色の色相を調整することができる。そして酸性物質の含浸濃度に応じて、明瞭な呈色変化が得られるような適切な酸塩基指示薬を選択すると良い。同一の酸性物質、酸塩基指示薬、シリカゲルを使用する場合については、水素イオン濃度を高めれば湿度表示色が高湿度側に変位し、水素イオン濃度を低めれば、低湿度側に変位する。
【００４３】
また、酸性物質としては硫酸のほか、燐酸等の無機酸、蓚酸、クエン酸、スルホン酸等の有機酸等が挙げられる。酸塩基指示薬およびそれに対応するｐＨと呈色変化の一覧を下記の表１に示す。
【００４４】
【表１】
0003147377.tif 000003
【００４５】
以下に実施例を示す。
【００４６】
実施例１．
平均細孔径１１μｍのシリカゲルＢ形を５０％混抄したポリエチレン湿式不織布を０．０２規定濃度のベンゼンスルホン酸水溶液２５０ｍｌとメチルバイオレット１０ｍｇ加えた溶液に、１時間浸し着色不織布を得た。これを８０℃以下で乾燥した後、ポリエチレンフイルム３０μｍと積層して、ピーチコート合成紙上にポリエチレンフイルム３０μｍ側と接着した。さらに、ポリエステル１２μｍとポリエチレン１５μｍとが積層されたフイルムに０．２mmφの孔を約７０００個/ｍ２開け、ポリエチレン側をポリオレフィン不織布に積層し、湿度検知シートを得た。このシートは、湿度２０％以下で黄色、３０％ＲＨで薄緑色、４０％ＲＨで緑、６０％ＲＨで青、８０％ＲＨで紫を呈した。湿度の変化と共に色が連続的に変化することが確認された。このシートをカード状に切断し、シリコン蒸着防湿フイルム袋に、精密機械部品を乾燥剤シリカゲルとともに封入した。２５℃６０％ＲＨ室内に放置したところ、２４時間後には、検知剤は黄色となり、１８０日後は薄緑色であることが包装外より確認できた。
【００４７】
実施例２．
平均粒子径８．２μｍのシリカゲルＡ形を５０％混抄したポリエチレン不織布にプラスチックフイルムを積層した後、プラスチックフイルムを積層していない面に、図１の印刷をなし、さらに、図１の５０％ＲＨ感湿部に０．０５規定濃度の硫酸水溶液２５０ｍｌとニュートラルレッド１０ｍｇ加えた溶液を１０μｌを滴下し５％ＲＨ湿度検知指示部とし、また、０．１規定濃度の硫酸水溶液２５０ｍｌとニュートラルレッド１０ｍｇ加えた溶液１０μｌを同様に１０％ＲＨの湿度検知指示部に滴下した。更に０．１５規定とした硫酸水溶液とニュートラルレッドの混合溶液を１５％ＲＨの湿度検知指示部に滴下した。乾燥後、表面にポリプロピレンフイルム４０μｍとポリエチレンフイルム３０μｍが積層されたプラスチックフイルムをＵＶ硬化型粘着剤を湿度検知部以外の表面に点状に印刷して、積層し、相対湿度５％、１０％、１５％のそれぞれのスポットで表示湿度に応じて青色から赤色に変化する湿度検知カードを作成した。このカードを塩化ビニリデンをコートしたポリプロピレンフイルム２０μｍとポリエチレンフイルム４０μｍが積層されたプラスチック防湿袋に、カメラ部品を乾燥剤シリカゲルとともに封入した。乾燥している間は、各湿度指示部は青色であったが、保存期間９０日後には１０％ＲＨ指示部までが赤色に変化し１５％ＲＨ部は青色のままであった。物品保存袋内の湿度を食品と共に明瞭に確認することができた。
【産業上の利用可能性】
【００４８】
本考案は、保存物の保存環境下の湿度を、シリカゲルを担持したポリオレフィン不織布に酸塩基指示薬を含む酸性溶液を含浸させて検知するのに、シリカゲルの脱落、保存物への混入や接触、酸生成分の保存物への接触を回避し、かつ、感湿呈色域の耐食もアルカリ性、酸性環鏡下での劣化を抑制できる。
【図面の簡単な説明】
【００４９】
【図１】本考案の湿度検知カードの１つの例を示す平面図。
【図２】同湿度検知カードの断面図。
【図３】同湿度検知カードのポリオレフィン不織布層が形成する表示面を示す平面図。
【図４】本考案の湿度検知カードの別の例を示す平面図。
【符号の説明】
【００５０】
１  湿度検知カード
２  感湿呈色域
３  基材
３ａ  表示面
３ｂ  表示面と反対の面
４  プラスチックフィルム
５  通気路
６  接着剤
７  色・湿度指標
８  色指標
３１  ポリオレフィン不織布層
３１ａ  表示面と反対の面
３２  張り合わせ材
３３  不透湿度層
【図１】
0003147377.tif 000004
【図２】
0003147377.tif 000005
【図３】
0003147377.tif 000006
【図４】
0003147377.tif 000007